(57)【特許請求の範囲】
【請求項１】
筒体の一方の端部を塞ぐ底部を有し、他方の端部が開放され開口部とした計量部を２つ備え、
２つの前記計量部は、
一体に形成され、
２つの前記計量部の前記開口部は、
互いに逆方向に開口され、
前記開口部の外周に突出している開口フランジ部を備え、
２つの前記計量部の前記底部は、
前記計量部の前記筒体の外周面に前記底部に沿って突出している底フランジ部を備え、
前記底フランジ部の先端部は、
前記計量部の前記底部の外側の面である底部外面よりも前記底部を挟んで前記計量部と反対方向に突出し、
一方の前記計量部の前記開口部に設けられている前記開口フランジ部の先端部は、
他方の前記計量部の前記底部よりも、他方の前記計量部の前記底部を挟んで他方の前記計量部と反対方向に突出しており、
一方の前記計量部の前記開口フランジ部と他方の前記計量部の前記底フランジ部とは、
接続され、連続したフランジとして形成されている、計量カップ。
【請求項２】
前記底部外面と前記底フランジ部の前記先端部とは、
傾斜したスロープ部により接続されている、請求項１に記載の計量カップ。
【請求項３】
前記底フランジ部は、
当該底フランジ部が設けられている前記計量部の前記開口部が配置されている側に位置する底フランジ上面を備え、
前記底フランジ上面は、
前記底フランジ部の外周に向かって前記開口部から前記底部の方向に傾斜している、請求項１又は２に記載の計量カップ。
【請求項４】
筒体の一方の端部を塞ぐ底部を有し、他方の端部が開放され開口部とした計量部を２つ備え、
２つの前記計量部は、
一体に形成され、隣接して配置され、
２つの前記計量部の前記開口部は、
互いに逆方向に開口され、
前記開口部の外周に突出している開口フランジ部を備え、
一方の前記計量部の前記開口部に設けられている前記開口フランジ部は、
他方の前記計量部の前記底部よりも、他方の前記計量部の前記底部を挟んで他方の前記計量部と反対方向に突出しており、
他方の前記計量部の前記底部は、
当該底部を挟んで当該計量部と反対方向に突出する足部を有し、
前記足部の先端は、
前記開口フランジ部の端面が形成する仮想面上に位置する、計量カップ。
【請求項５】
隣接する２つの前記計量部を隔てる仕切壁部を有し、
前記仕切壁部は、
２つの前記計量部のそれぞれの前記筒体の一部である、請求項１〜４の何れか１項に記載の計量カップ。
【請求項６】
２つの前記計量部の前記筒体の外周面に前記仕切壁部に沿って設けられた突起を有する、請求項５に記載の計量カップ。
【請求項７】
前記開口フランジ部は、
当該開口フランジ部が設けられている前記計量部の前記底部が配置されている側に位置する開口フランジ下面を備え、
前記開口フランジ下面は、
前記開口フランジ部の外周に向かって前記底部から前記開口部の方向に傾斜している、請求項１〜６の何れか１項に記載の計量カップ。
【請求項８】
２つの前記計量部の前記開口部が開口されている側から見て、２つの前記計量部が並べられた長手方向の幅は、
前記長手方向に対し直交する方向の幅に対し大きい、請求項１〜７の何れか１項に記載の計量カップ。
【請求項９】
２つの前記計量部は、
それぞれ容積が異なる、請求項１〜８の何れか１項に記載の計量カップ。
【請求項１０】
２つの前記計量部は、
一方が他方の半分の容積を有する、請求項１〜９の何れか１項に記載の計量カップ。
【請求項１１】
一方の前記計量部は、
米を０．５合計量できる容積で、
他方の前記計量部は、
米を１合計量できる容積である、請求項１０に記載の計量カップ。
【請求項１２】
２つの前記計量部の前記筒体の外周面は、
前記筒体の外側に膨らんだ曲面により構成される、請求項１〜１１の何れか１項に記載の計量カップ。
【発明の詳細な説明】
【技術分野】
【０００１】
本発明は、炊飯器で炊飯する米等の炊飯原料の量を計量する計量カップの構造に関するものである。
【背景技術】
【０００２】
従来より、炊飯器で炊飯する米を計量する計量カップがある。この計量カップは、計量カップを米びつの中に入れて米をすくい上げ、計量カップの上端部から突出した分の米を、計量カップをゆすることなく、上端部に合せてほぼ平ら（水平）に均すように摺り切ると１合（１８０ｍｌ）となり、炊飯したい米の量を計量するために使用されている（例えば、特許文献１参照）。炊飯時において、米の量と水の量との比率が変わると、炊きあがり時の米のできばえが大きく変わってくる。よって、炊飯時の米の量は正確に計量する必要がある。
【０００３】
最近では、０．５合単位（例えば、０．５合、１．５合、２．５合・・・）で米の量を調整して炊飯するユーザーが増えてきている。前述の計量カップを用いて、米の量を０．５合単位で調節したい場合には、目分量で米の量を計ったり、また、０．５合の目盛りが印刷あるいは刻印された計量カップを用いて米の量を計っている。
【先行技術文献】
【特許文献】
【０００４】
【特許文献１】特開２０１１−１０６８６５号公報
【発明の概要】
【発明が解決しようとする課題】
【０００５】
前記のような計量カップでは、０．５合分の米を計量する場合、計量カップの上端部に合わせて摺り切ることができないため、目分量で、あるいは計量カップに設けられた目盛りに合わせるしかなかった。そのため、正確に合わせるのに注意が必要となったり、目盛りに合わせ難いため、使い勝手が良くなかった。
【０００６】
本発明は、前述のような課題を解決するためになされたもので、異なる量の米等の炊飯原料を容易に計量できる計量カップを提供することを目的とする。
【課題を解決するための手段】
【０００７】
本発明に係る炊飯器の計量カップは、筒体の一方の端部を塞ぐ底部を有し、他方の端部が開放され開口部とした計量部を２つ備え、２つの前記計量部は、一体に形成され、２つの前記計量部の前記開口部は、互いに逆方向に開口され、前記開口部の外周に突出している開口フランジ部を備え、２つの前記計量部の前記底部は、前記計量部の前記筒体の外周面に前記底部に沿って突出している底フランジ部を備え、前記底フランジ部の先端部は、前記計量部の前記底部の外側の面である底部外面よりも前記底部を挟んで前記計量部と反対方向に突出し、一方の前記計量部の前記開口部に設けられている前記開口フランジ部の先端部は、他方の前記計量部の前記底部よりも、他方の前記計量部の前記底部を挟んで他方の前記計量部と反対方向に突出しており、一方の前記計量部の前記開口フランジ部と他方の前記計量部の前記底フランジ部とは、接続され、連続したフランジとして形成されている。
【発明の効果】
【０００８】
本発明によれば、２つの計量部を有し、計量に使用する計量部を変えることにより計量できる米等の炊飯原料の量が異なる。これにより、複数の異なる量の米等の炊飯原料を容易に計量することができる。
【図面の簡単な説明】
【０００９】
【図１】本発明の実施の形態１に係る計量カップを示す斜視図である。
【図２】図１の計量カップを反対側から見た斜視図である。
【図３】図１に示す計量カップのＡ−Ａ断面図である。
【図４】本発明の実施の形態１の変形例としての計量カップの斜視図である。
【図５】図４の計量カップのＡ１−Ａ１断面図である。
【図６】本発明の実施の形態１の別の変形例としての計量カップの斜視図である。
【図７】図６の計量カップのＡ２−Ａ２断面図である。
【図８】実施の形態１に係る計量カップの変形例としての計量カップの斜視図である。
【図９】図８の計量カップの六面図である。
【図１０】図８のＡ３−Ａ３断面を示す説明図である。
【図１１】本発明の実施の形態２に係る計量カップの斜視図である。
【図１２】図１１の計量カップのＢ−Ｂ断面図である。
【図１３】本発明の実施の形態３に係る計量カップの斜視図である。
【図１４】図１３の計量カップを逆方向から見た時の斜視図である。
【図１５】図１４の計量カップのＣ−Ｃ断面図である。
【図１６】実施の形態３の変形例である計量カップの斜視図である。
【図１７】図１６の計量カップのＣ１−Ｃ１断面図である。
【図１８】本発明の実施の形態４に係る計量カップの斜視図である。
【図１９】本発明の実施の形態５に係る計量カップの斜視図である。
【図２０】図１９の計量カップのＤ−Ｄ断面図である。
【図２１】図１９の計量カップから突起を無くした計量カップの斜視図である。
【図２２】図２１の計量カップのＥ−Ｅ断面図である。
【図２３】実施の形態６に係る計量カップの斜視図である。
【図２４】図２３の計量カップのＦ−Ｆ断面図である。
【図２５】実施の形態７に係る計量カップの斜視図である。
【図２６】図２５の計量カップのＧ−Ｇ断面図である。
【図２７】本発明の実施の形態７の変形例である計量カップの斜視図である。
【発明を実施するための形態】
【００１０】
以下、図面に基づいて本発明の実施の形態について説明する。各図において、同一の符号を付した部位等については、同一の又はこれに相当する部位を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の部位等について、特に区別したり、特定したりする必要がない場合には、添字を省略して記載する場合がある。また、図面では各構成部材の大きさの関係が実際のものとは異なる場合がある。
【００１１】
実施の形態１．
図１は、本発明の実施の形態１に係る計量カップ１００を示す斜視図である。図２は、図１の計量カップ１００を反対側から見た斜視図である。図３は、図１に示す計量カップ１００のＡ−Ａ断面図である。
実施の形態１における計量カップ１００は、図１〜図３に示されるように、計量部１０ａと計量部１０ｂとの２つの計量部を備える。計量部１０ａ及び計量部１０ｂは、有底筒形状になっている。計量部１０ａは、側面が筒体４０ａで構成されている。筒体４０ａの一方の端部が底部３０ａで塞がれている。筒体４０ａの他方の端部は開放されており、開口部２０ａになっている。計量部１０ｂも計量部１０ａと同様な構成になっている。計量部１０ｂは、側面が筒体４０ｂで構成されている。筒体４０ｂの一方の端部が底部３０ａで塞がれている。筒体４０ａの他方の端部は開放されており、開口部２０ａになっている。
【００１２】
計量部１０ｂは、計量部１０ａと一体となって形成されており、かつ計量部１０ａとは仕切壁部４２を挟んで隣接して配置されている。また、計量部１０ａと計量部１０ｂとは容積が異なっており、それぞれが異なる量の米を計量できる。実施の形態１においては、計量部１０ｂは、計量部１０ａの半分の容積になっている。具体的には、計量部１０ａは、１合の米を計量でき、計量部１０ｂは、０．５合の米を計量できる。すなわち、計量部１０ａは、開口部２０ａのすり切り一杯で１８０ｍｌの容積を有し、計量部１０ｂは、開口部２０ｂのすり切り一杯で９０ｍｌの容積を有する。なお、計量部１０ａ及び１０ｂの容積は、一例であり上記の値だけに限定されない。計量部１０ａ及び１０ｂの容積は、適宜設定することができる。
【００１３】
計量部１０ａと計量部１０ｂとは、互いに逆方向に開口されている。図３に示されるように、計量部１０ａの開口部２０ａは、図３における上側を向いて開口されており、計量部１０ｂの開口部２０ｂは、図３における下側を向いて開口されている。
【００１４】
計量部１０ａの開口部２０ａは、計量部１０ｂの底部３０ｂと平行に並んで、かつ計量部１０ｂの底部３０ｂと同一平面上に配置されている。つまり、開口部２０ａは、底部３０ｂと隣接して配置され、図３の上下方向において底部３０ｂと同じ高さに並んで位置している。また、計量部１０ｂの開口部２０ｂも、計量部１０ａの底部３０ａと平行に並んで、かつ計量部１０ａの底部３０ａと同一平面上に配置されている。つまり、開口部２０ｂは、底部３０ａと隣接して配置され、図３の上下方向において底部３０ａと同じ高さに並んで位置している。
【００１５】
なお、実施の形態１においては、上記のように、開口部２０ａと底部３０ｂとが同じ高さに配置され、かつ開口部２０ｂと底部３０ａとが同じ高さに配置されているが、上下方向にずらして配置されていても良い。
【００１６】
計量カップ１００は、計量部１０ａの底部３０ａの外側の面である底部外面３１ａと計量部１０ｂの底部３０ｂの外側の面である底部外面３１ｂとを有する。計量カップ１００の外観を見ると、図１及び図２に示されるように、底部外面３１ａは開口部２０ｂと、底部外面３１ｂは開口部２０ａと、並んで配置されている。
【００１７】
計量カップ１００は、２つの計量部１０ａ、１０ｂを隔てる仕切壁部４２を有する、仕切壁部４２は、計量部１０ａの筒体４０ａ及び計量部１０ｂの筒体４０ｂの一部である。つまり、仕切壁部４２は、一方の面４３ａが計量部１０ａの内側の面の一部であり、他方の面４３ｂが計量部１０ｂの内側の面の一部である。
【００１８】
また、計量カップ１００は、計量部１０ａの筒体４０ａの外周面４１ａと計量部１０ｂの筒体４０ｂの外周面４１ｂとから構成されるカップ外観部４１を有する。カップ外観部４１を構成する面である外周面４１ａ及び外周面４１ｂは、それぞれが曲面であり、計量部１０ａ及び１０ｂに対して外側に凸している曲面である。
【００１９】
図４は、本発明の実施の形態１の変形例としての計量カップ１０１の斜視図である。図５は、図４の計量カップ１０１のＡ１−Ａ１断面図である。上記に説明した構造を持つ計量カップとしては、図４及び図５に示される計量カップ１０１がある。計量カップ１０１は、異なる容積を持つ計量部１０ａ及び計量部１０ｂを有する。また、計量部１０ａの開口部２０ａと計量部１０ｂの開口部２０ｂとは、逆方向を向いて開口されている。よって、計量カップ１０１は異なる容積の計量部１０ａ、１０ｂにより、異なる量の米を計量することができる。そして、計量カップ１０１は、一方の計量部１０ａで米を掬い上げた時に、他方の計量部１０ｂの開口部２０ｂが下方向を向くため、一方の計量部１０ａのみで米を計量することができる。なお、計量カップ１００においても同様に米の計量をすることができる。
【００２０】
図６は、本発明の実施の形態１の別の変形例としての計量カップ１０２の斜視図である。図７は、図６の計量カップ１０２のＡ２−Ａ２断面図である。
計量カップ１０１は、開口部２０側から見ると円形であるのに対し、計量カップ１０２は、略正方形である。計量カップ１０２も、一方の計量部１０ａで米を掬い上げた時に、他方の計量部１０ｂの開口部２０ｂが下方向を向くため、一方の計量部１０ａのみで米を計量することができるのは、計量カップ１００、１０１と同様である。ただし、計量カップ１０２は、開口部２０側から見て略正方形の外形を持つため、例えば、計量カップ１０２は、一方の計量部１０ａで米を掬おうとする場合に、使用者が持つときに、開口部２０ａがどちらを向いて持っているかわかりやすいという利点がある。計量カップ１０１のように計量カップ全体が円筒形状になっていると、持ったときに開口部２０がどちらを向いているかを視認して開口部２０の位置を調整する必要がある。この点において、計量カップ１００は、使用者が持つときの計量カップ１００の方向性がさらに認識しやすい形状になっている。つまり、計量カップ１００は、２つの計量部１０の何れかの開口部２０が開口されている側から見て、２つの計量部１０が並べられた長手方向の幅が、長手方向に対し直交する方向の幅に対し大きい。すなわち、計量カップ１００を何れかの開口部２０側から見た時に、計量部１０が２つ並んでいる方向に長い縦長の形状になっているため、使用者は、計量カップ１００を掴むときに、計量カップ１００の短い幅の部分を手で挟んで掴むことにより、自然に米を掬い上げる動作がしやすい持ち方をすることになる。
【００２１】
計量カップ１００は、開口部２０ａの端面が形成する仮想面に対し垂直方向から見ると、略長円形状である。言い換えると、計量カップ１００は、開口部２０ａの端面が形成する仮想面に対し垂直方向から見ると、概略形状が２つの平行線と２つの半円形を組み合わせた角丸長方形である。ただし、その角丸長方形の直線部分を拡大すると僅かに外側に膨らんだ曲線になっている。このような形状にすることにより、計量カップ１００は、成形時の収縮により筒体４０ａ及び４０ｂが内側に凹むことがなく、計量部１０ａ及び計量部１０ｂの容積を精度良く製造することが可能となる。
【００２２】
計量カップ１００は、計量部１０ａの底部３０ａの外側の面である底部外面３１ａを有する。また、計量カップ１００は、計量部１０ａの筒体４０ａの外周面４１ａに底部３０ａに沿って突出している底フランジ部３２ａを有する。さらに、計量カップ１００は、計量部１０ｂの開口部２０ｂの外周に突出している開口フランジ部２１ｂを有する。実施の形態１においては、計量部１０ａの底部３０ａと計量部１０ｂの開口部２０ｂとは、同一平面上に位置するため、底フランジ部３２ａと開口フランジ部２１ｂとは、計量部１０ａと計量部１０ｂとの境目で接続されており、連続したフランジとして形成されている。
【００２３】
底フランジ部３２ａの先端部３５ａは、底部外面３１ａよりも底部３０ａを挟んで計量部１０ａと反対方向に突出している。つまり、底フランジ部３２ａの先端は、底部外面３１ａに対し図３における下方向に突出している。底フランジ部３２ａがこのように形成されており、また開口部２０ｂの外周に形成されている開口フランジ部２１ｂと接続されていることから、計量カップ１００は、底フランジ部３２ａと開口フランジ部２１ｂとを下側にして、平面上に載置された時に、底フランジ部３２ａの先端と開口フランジ部２１ｂの端面とが平面に接し、安定して置くことができる。
【００２４】
また、底フランジ部３２ａの先端部３５ａと底部外面３１ａとは、なだらかに傾斜した面であるスロープ部３４ａにより接続されている。
【００２５】
また、底フランジ部３２ａは、計量部１０ａの開口部２０ａが配置されている側に位置する底フランジ上面３３ａを備える。底フランジ上面３３ａは、図３において底フランジ部の上側にある面である。底フランジ上面３３ａは、底フランジ部３２ａの外周に向かって開口部２０ａから底部３０ａの方向、つまり図３における下方向に向かって傾斜している。
【００２６】
なお、計量カップ１００は、計量部１０ｂの底部３０ｂの外側の面である底部外面３１ｂを有し、底部３０ｂに沿って突出している底フランジ部３２ｂも有する。さらに、計量カップ１００は、計量部１０ａの開口部２０ａの外周に突出している開口フランジ部２１ａも有する。上記で説明した底フランジ部３２ａと開口フランジ部２１ｂと同様に、底フランジ部３２ｂと開口フランジ部２１ａとは計量部１０ａと計量部１０ｂとの境目で接続されており、連続したフランジとして形成されている。そして、底フランジ部３２ａと開口フランジ部２１ｂと同様の機能を有する。
【００２７】
また、底フランジ部３２ｂの先端部３５ｂと底部外面３１ｂとは、なだらかに傾斜した面であるスロープ部３４ｂにより接続されている。
【００２８】
また、底フランジ部３２ｂは、計量部１０ｂの開口部２０ｂが配置されている側に位置する底フランジ上面３３ｂを備える。底フランジ上面３３ｂは、図３において底フランジ部の下側にある面である。底フランジ上面３３ｂは、底フランジ部３２ｂの外周に向かって開口部２０ｂから底部３０ｂの方向、つまり図３における上方向に向かって傾斜している。
【００２９】
図８は、実施の形態１に係る計量カップ１００の変形例としての計量カップ１０３の斜視図である。図９は、図８の計量カップ１０３の六面図である。図１０は、図８のＡ３−Ａ３断面を示す説明図である。図９（ａ）（ｂ）（ｃ）（ｄ）（ｅ）（ｆ）は、それぞれ、正面図、上面図、左側面図、右側面図、底面図、背面図である。
【００３０】
計量カップ１０３は、計量カップ１００に対し、開口フランジ部２１ａ、２１ｂ及び底フランジ部３２ａ、３２ｂの突出量を調整したものである。具体的には、図９（ｆ）に示されている、開口フランジ部２１ａの突出量Ｒ、開口フランジ部２１ｂの突出量Ｑ、底フランジ部３２ａの突出量Ｓ、及び底フランジ部３２ｂの突出量Ｐを調整したものである。計量カップ１００の開口フランジ部２１ａ、２１ｂ及び底フランジ部３２ａ、３２ｂは、上記で説明したように傾斜した面を備えており、計量部１０ａ、１０ｂで米を掬い上げたときに各フランジ部に米が載らないように構成されている。しかし、各フランジ部の突出量Ｐ、Ｑ、Ｒ、Ｓを調整することで以下の効果が得られる。
【００３１】
各フランジ部の突出量Ｐ、Ｑ、Ｒ、Ｓは、白米、特にジャポニカ米の半分以下の大きさに設定することができる。このように構成されることで、白米は、各フランジ部に載っても白米の重心は各フランジの先端よりも外側に位置するため、各フランジ部から落ちやすい。白米の幅方向の大きさが約２ｍｍであり、各フランジ部の突出量Ｐ、Ｑ、Ｒ、Ｓを例えば１ｍｍ以下に設定すると効果が高まる。
【００３２】
（計量カップ１００による米の計量）
炊飯時において、米の量と水の量との比率が変わると、炊きあがり時の米のできばえが大きく変わってくる。よって、炊飯時の米の量は正確に計量する必要がある。また、最近では０．５合単位で米の量を調整して炊飯する使用者も多い。計量カップ１００は、上記のような構造を備えることにより、０．５合単位で米の量を計量することができる。
【００３３】
実施の形態１に係る計量カップ１００を使用することにより、計量部１０ａを用いて米をすくいあげることにより１合の米を計量することができる。１合の米を計量する場合、計量カップ１００を開口部２０ａが開口している方向から米びつの中にある米に差し込み、計量部１０ａの全体が米の中に沈み込んだところから開口部２０ａを上にして米をすくいあげる。
【００３４】
計量カップ１００の開口部２０ａを上にした状態においては、すくいあげた米は、開口部２０ａから山盛りになってはみ出した状態になっている。開口部２０ａから山盛りにはみ出した米は、使用者の指等を開口部２０ａの端面に沿って動かすことにより落とされる。すると、計量部１０ａの開口部２０ａまで米が満たされた状態になり、その満たされた米が約１合になる。
【００３５】
上記のように計量部１０ａで米をすくいあげた時に、計量部１０ｂの底部外面３１ｂ上の底フランジ部３２ｂにより囲まれた領域に、米が載っている場合がある。開口部２０ａと共に底部外面３１ｂも米をすくいあげる方向に動くため、底部外面３１ｂにも米が載ってしまう。しかし、底フランジ部３２ｂの先端部３５ｂと底部外面３１ｂとは、なだらかに傾斜した面であるスロープ部３４ｂにより接続されている。そのため、使用者が指等を開口部２０ａの端面に沿って動かす動作に続いて、開口部２０ａの端面から連続的に接続されている底フランジ部３２ｂの先端部３５ｂに沿って指等を動かすことにより、底部外面３１ｂ上に載った米粒は、スロープ部３４ｂ上を引っ掛かること無く移動し、落とされる。このようにすることで、余計な分量の米を落とすことができ、計量部１０ａのみで米を正確に計量することができる。
【００３６】
また、上記のように計量部１０ａで米をすくいあげた時に、開口部２０ａを上にすると、底フランジ部３２ａが有する開口部２０ａ側にある面である底フランジ上面３３ａも上を向く。この時、米が底フランジ上面３３ａの上に載ってしまう可能性があるが、実施の形態１の計量カップ１００は、底フランジ上面３３ａが傾斜面となっているため、この部分に米は滞留せず落ちる。さらに、底フランジ部３２ａと接続している開口フランジ部２１ｂの開口フランジ下面２２ｂにも、底フランジ上面３３ａと同様に米が載ってしまう可能性があるが、開口フランジ下面２２ｂも傾斜面となっているため、米は滞留せずに落ちる。このような構造になっているため、余計な分量の米をすくいあげることがなく、計量部１０ａのみで計量するため、計量時の誤差を小さくすることができる。
【００３７】
なお、実施の形態１に係る計量カップ１００の計量部１０ｂで米をすくいあげることにより、０．５合の米を計量することができる。０．５合の米を計量する場合は、計量カップ１００を開口部２０ｂが開口している方向から米びつの中にある米に差し込み、計量部１０ｂの全体が米の中に沈み込んだところから開口部２０ｂを上にして米をすくいあげる。
【００３８】
計量カップ１００の計量部１０ｂ側で米を計量する場合であっても、計量部１０ａ側で米を計量する場合と同様の動作で米を計量することができる。計量カップ１００の一方の端部にある開口部２０ｂ側の構造と、計量カップ１００の他方の端部にある開口部２０ａ側の構造とは、開口面積が異なる他は同じ構造を有している。つまり、開口部２０ｂと同一平面上で隣合って配置されている底部外面３１ａ及び底部外面３１ａを囲っている底フランジ部３２ｂの構造により、底部外面３１ａ上に載ってしまった米粒も、上記で説明した操作で落とすことができる。
【００３９】
また、底フランジ部３２ｂの底フランジ上面３３ｂ及び開口フランジ部２１ａの開口フランジ下面２２ａも、上記で説明した底フランジ上面３３ａ及び開口フランジ下面２２ｂと同様に傾斜面となっている。そのため、計量カップ１００の計量部１０ｂにより米を計量する場合に、底フランジ上面３３ｂ及び開口フランジ下面２２ａに米が滞留することがない。つまり、計量カップ１００は、余計な分量の米をすくいあげることがなく、計量部１０ｂのみで０．５合の米を正確に計量することができる。
【００４０】
実施の形態１に係る計量カップ１００は、例えば透明又は半透明の樹脂を成形して製造されている。これにより、米を計量する場合において、使用者は、計量部１０ａ又は計量部１０ｂに米が収容されているか目視で確認できるため、計量を誤ることがない。
【００４１】
また、実施の形態１に係る計量カップ１００は、例えば樹脂成形により製造されているため、樹脂を注入するためのゲート部５０が設けられている。また、計量カップ１００の各部の面は金型で製造するために必要な傾斜が付されている。例えば、図３において、計量部１０ａは、底部３０ａから開口部２０ａに向けて筒体４０ａの内周の寸法が拡大するように傾斜がつけられている。また、計量部１０ｂも同様に、底部３０ｂから開口部２０ｂに向けて筒体４０ｂの内周の寸法が拡大するように傾斜がつけられている。
【００４２】
実施の形態１に係る計量カップ１００は、筒体４０ａ及び筒体４０ｂの側面に表示６０、６１、６２ａ、６２ｂ、６３が付されている。これらの表示６０、６１、６２ａ、６２ｂ、６３は、例えば樹脂成形によりカップ外観部４１に凸形状を形成して作られる。表示６０は、例えば「１カップ用」「１８０」と計量部１０ａの外観面に表示されており、計量部１０ａで１合の米が計量できることを示している。表示６１は、例えば「０．５カップ用」「９０」と計量部１０ｂの外観面に表示されており、計量部１０ｂで０．５合の米が計量できることを示している。その他、例えば炊飯に使用する炊飯器の仕様に応じて表示６３のような目盛り線等を適宜付しても良い。
【００４３】
また、実施の形態１に係る計量カップ１００は、無洗米により炊飯する場合の米の量を計量することができる。無洗米の場合、通常の米と同じ水の量で炊飯すると、無洗米は水の量が足らなくなる。よって、通常の米と同じ水の量で炊飯する場合、計量カップ１００で計量する米の量を減らす必要がある。そこで、計量カップ１００には、計量部１０ａ、１０ｂの開口部２０ａ、２０ｂの近傍に無洗米を計量するための目印である段差１１ａ、１１ｂを設けてある。また、カップ外観部４１には表示６２ａ、６２ｂが付されており、無洗米を計量する場合の目印が付されている。
【００４４】
計量カップ１００は、上記のような構造を備えることにより、０．５合単位で米の量を計量することができる。また、例えば、一方の計量部１０ａで１合の米を計量した場合に、計量部１０ｂの開口部２０ｂは、計量部１０ａの開口部２０ａと逆方向を向いて設けられているため、意図しない米をすくいあげることがなく、正確に１合の米を計量することができる。また、計量カップ１００により米をすくいあげる動作をするときに、計量部１０ａ、１０ｂ以外の部分で米をすくいあげることがないため、計量の際の精度が良い。また、計量カップ１００は、開口部２０ａ、２０ｂが開口されている方向から見ると略長円形状になっており、計量する際に使用者が持ちやすい形状になっている。さらに、計量カップ１００の開口部２０ａ、２０ｂが位置する端面は、開口フランジ部２１ａの端面と底フランジ部３２ｂの先端部３５ｂと、又は開口フランジ部２１ｂの端面と底フランジ部３２ａの先端部３５ａとにより略平面が構成されている。そのため、計量カップ１００は、平面上に載置した場合も座りが良く、安定して置くことができる。
【００４５】
実施の形態２．
本発明の実施の形態２に係る計量カップ２００は、実施の形態１に係る計量カップ１００に対し、計量部１０ａ、１０ｂの位置関係を変更したものである。実施の形態２に係る計量カップ２００においては、実施の形態１に対する変更点を中心に説明する。実施の形態２に係る計量カップ２００の各部については、各図面において同一の機能を有するものは実施の形態１の説明で使用した図面と同一の符号を付して表示するものとする。
【００４６】
図１１は、本発明の実施の形態２に係る計量カップ２００の斜視図である。図１２は、図１１の計量カップ２００のＢ−Ｂ断面図である。
実施の形態２における計量カップ２００は、実施の形態１に係る計量カップ１００と同様に、計量部１０ａと計量部１０ｂとの２つの計量部を備える。実施の形態２に係る計量カップ２００は、計量部１０ａと計量部１０ｂとが逆方向に開口されている点では実施の形態１と同様であるが、２つの計量部１０ａ、１０ｂの開口部２０ａ、２０ｂ及び底部３０ａ、３０ｂは、一方向に並んで配置されている。実施の形態２においては、２つの計量部１０ａ、１０ｂの底部３０ａ、３０ｂは、開口部２０ａと開口部２０ｂとの間に配置されている。計量部１０ａと計量部１０ｂとは、底部３０ａ、３０ｂを構成する１枚の仕切壁を隔てて隣接して配置されている。また、各計量部１０ａ、１０ｂには、実施の形態１と同様に表示２６０が付されていても良い。
【００４７】
実施の形態２においては、上記の様に計量部１０ａ、１０ｂが配置されているため、実施の形態１と同様に、例えば計量部１０ａで米を計量した場合に、他方の計量部１０ｂは、開口部２０ｂが下を向いているため、計量部１０ａ以外に米が計量カップ２００内に滞留することがない。従って、計量カップ２００は、精度良く異なる量の米を計量することができる。
【００４８】
ただし、計量カップ２００は、米びつの米をすくいあげる動作の際に、計量カップ２００のほぼ全体を米の中に沈めてから米をすくいあげる必要があるため、計量には使用しない計量部も米の中に沈め無ければならない。実施の形態１においては、計量部１０ａ、１０ｂは、計量部１０ａの筒体４０ａと計量部１０ｂの筒体４０ｂとを隣接させて配置されていたため、例えば計量部１０ａのみを米の中に沈めて、他方の計量部１０ｂは米の中に沈めなくとも計量部１０ａで米をすくいあげることができた。しかし、計量カップ２００においては、例えば計量部１０ａの全体を米の中に沈めると、必然的に計量部１０ｂも米の中に沈めざるを得ない。この点において、実施の形態１の計量カップ１００は、実施の形態２の計量カップ２００に対し、米のすくいあげ動作が容易で使いやすくなっている。
【００４９】
実施の形態３．
本発明の実施の形態３に係る計量カップ３００は、実施の形態２に係る計量カップ２００に対し、さらに開口部２０ａ、２０ｂと底部３０ａ、３０ｂとの位置関係を変更したものである。実施の形態３に係る計量カップ３００においては、実施の形態２に対する変更点を中心に説明する。実施の形態３に係る計量カップ３００の各部については、各図面において同一の機能を有するものは実施の形態１及び実施の形態２の説明で使用した図面と同一の符号を付して表示するものとする。
【００５０】
図１３は、本発明の実施の形態３に係る計量カップ３００の斜視図である。図１４は、図１３の計量カップ３００を逆方向から見た時の斜視図である。図１５は、図１４の計量カップ３００のＣ−Ｃ断面図である。
実施の形態３における計量カップ３００は、実施の形態１に係る計量カップ１００及び実施の形態２に係る計量カップ２００と同様に、計量部１０ａと計量部１０ｂとの２つの計量部を備える。実施の形態３に係る計量カップ３００は、計量部１０ａと計量部１０ｂとが逆方向に開口され、２つの計量部１０ａ、１０ｂの開口部２０ａ、２０ｂ及び底部３０ａ、３０ｂは、一方向に並んで配置されている点では実施の形態２と同様である。
【００５１】
しかし、実施の形態３においては、計量部１０ａの底部３０ａと計量部１０ｂの開口部２０ｂとが、平行に並び、かつ同一平面上に配置されている。また、計量部１０ｂの底部３０ｂと計量部１０ａの開口部２０ａとが、平行に並び、かつ同一平面上に配置されている。また、計量部１０ａの筒体４０ａが計量部１０ｂの筒体４０ｂの内側に位置している。
【００５２】
図１５において、計量部１０ａは上方向に開口部２０ａが開口されており、計量部１０ｂは下方向に開口部２０ｂが開口されている。開口部２０ｂの中央部には、計量部１０ａの底部３０ａが位置している。計量部１０ｂは、計量部１０ａの筒体４０ａの外周面４１ａと筒体４０ｂの内周面とにより囲まれた空間であり、この空間が０．５合分の米を収容できる容積を持っている。一方、計量部１０ａは、計量部１０ｂとは逆方向に開口されており、１合の米を収容できる容積を持っている。なお、計量部１０ａ、１０ｂの容積は、どちらを大きく設定しても良い。
【００５３】
実施の形態３においては、上記の様に計量部１０ａ、１０ｂが逆方向に開口されているため、実施の形態１と同様に、例えば計量部１０ａで米を計量した場合に、他方の計量部１０ｂは、開口部２０ｂが下を向いているため、計量部１０ａ以外に米が計量カップ２００内に滞留することがない。従って、計量カップ３００は、精度良く異なる量の米を計量することができる。また、計量部１０ｂの開口部２０ｂの端面と計量部１０ａの底部外面３１ａは、同一平面上にあるため、米をすくいあげた後に使用者の指等を開口部２０ｂの端面に沿って動かすことにより、開口部２０ｂの上方に盛り上がった余計な米粒を落とすことができる。これにより、計量部１０ｂで米を計量した場合においても、底部外面３１ａ上に米が滞留することなく、計量部１０ｂで正確に米を計量することができる。
【００５４】
実施の形態３の計量カップ３００は、開口部２０と底部３０を同一平面上に配置し、筒体４０ａを筒体４０ｂの内側に配置することにより、実施の形態１及び実施の形態２で得られる効果に加えて以下の利点がある。
図１５において、計量部１０ｂの筒体４０ｂの外周面４１ｂは、計量部１０ｂの開口部２０ｂから底部３０ｂの方向に向かって寸法が小さくなるように傾斜している。また、計量部１０ａの内周面は、底部３０ａから開口部２０ａの方向に向かって、寸法が大きくなるように傾斜している。よって、計量部１０ｂの筒体４０ｂの外周面４１ｂと、計量部１０ａの内周面とは、同一の金型で成形した後に図１５の上方向に向かって金型を抜ける構造になっている。一方、計量部１０ｂの内周面は、計量部１０ｂの底部３０ｂから開口部２０ｂの方向に向かって寸法が大きくなるように傾斜しており、計量部１０ａの筒体４０ａの外周面４１ａは、寸法が小さくなるように傾斜している。よって、計量部１０ｂの内周面と、計量部１０ａの筒体４０ａの外周面４１ａは、同一の金型で成形した後に図１５の下方向に金型を抜ける構造になっている。つまり、計量カップ３００は、キャビティとコアとの２つのパーツからなる金型を図１５の上下方向に合わせることにより成形することができる。これにより製造コストを下げることができ、成形品の品質も安定する。
【００５５】
図１６は、実施の形態３の変形例である計量カップ３０１の斜視図である。図１７は、図１６の計量カップ３０１のＣ１−Ｃ１断面図である。上記の計量カップ３００に対し、計量部１０ａと計量部１０ｂとを一体にし、開口部２０ａ及び底部３０ａと開口部２０ｂ及び底部３０ｂとが一方向に一列に並ばないようにすると、計量カップ３０１のような形状にすることができる。計量カップ３０１は、一方の計量部１０ａの底部３０ａと他方の計量部１０ｂの開口部２０ｂとを平行に並ばせているが、同一平面上に配置しないようにしてある。また、計量部１０ａの筒体４０ａが計量部１０ｂの筒体４０ｂの外側に位置している。
【００５６】
計量カップ３０１の計量部１０ａの容積は、例えば１合に設定されており、計量部１０ｂの容積は、例えば０．５合に設定されている。計量部１０ａと計量部１０ｂとが逆方向を向いて開口されているため、計量カップ１００、２００、３００と同様に、米を掬い上げたときに一方の計量部１０のみに米が収容されるため、１つの計量カップ３０１で異なる量の米を正確に計量することができる。また、計量カップ３０１も、キャビティとコアとの２つのパーツからなる金型を図１７の上下方向に合わせることにより成形することができる。
【００５７】
実施の形態４．
本発明の実施の形態４に係る計量カップ４００は、実施の形態１に係る計量カップ１００に対し、カップ外観部４１に仕切壁部４２に沿って突起４５を設けたものである。実施の形態４に係る計量カップ４００においては、実施の形態１に対する変更点を中心に説明する。実施の形態４に係る計量カップ４００の各部については、各図面において同一の機能を有するものは実施の形態１〜３の説明で使用した図面と同一の符号を付して表示するものとする。
【００５８】
図１８は、本発明の実施の形態４に係る計量カップ４００の斜視図である。
実施の形態４の計量カップ４００は、隣合う計量部１０ａと計量部１０ｂとの境目となる仕切壁部４２に沿った突起４５を、カップ外観面４０上に設けてある。なお、図１８には示されていないが、反対側の面にも仕切壁部４２に沿って突起が設けてある。計量カップ４００の構造は、実施の形態１に係る計量カップ１００と同じ構造であり、図１８においては、図１において示されているスロープ部３４ｂ、底フランジ上面３３ａ、開口フランジ下面２２ｂが設けられていないが、実施の形態１と同様に設けても良い。
【００５９】
実施の形態４の計量カップ４００は、突起４５を設けることにより、計量カップ４００で米を計量する際に使用者がカップ外観面４０を掴んだときに、指が突起４５に掛かり、持ちやすくなる。また、計量カップ１００及び４００の成形の際にカップ外観面４０の仕切壁部４２に沿った部分は、形状が凹む成形不良が起きやすいが、突起４５を設けることにより成形時に生じた凹みを目立たなくすることができる。
【００６０】
実施の形態５．
本発明の実施の形態５に係る計量カップ５００は、実施の形態１に係る計量カップ１００に対し、一方の計量部１０の開口部２０を他方の計量部１０の底部３０に対し突出させたものである。実施の形態５に係る計量カップ５００においては、実施の形態１に対する変更点を中心に説明する。実施の形態５に係る計量カップ５００の各部については、各図面において同一の機能を有するものは実施の形態１〜４の説明で使用した図面と同一の符号を付して表示するものとする。
【００６１】
図１９は、本発明の実施の形態５に係る計量カップ５００の斜視図である。図２０は、図１９の計量カップ５００のＤ−Ｄ断面図である。
実施の形態５に係る計量カップ５００において、計量部１０ａの開口部２０ａに設けられている開口フランジ部２１ａは、計量部１０ｂの底部３０ｂよりも、他方の計量部１０ｂの底部３０ｂを挟んで他方の計量部１０ｂと反対方向に突出している。また、計量カップ５００において、計量部１０ｂの開口部２０ｂに設けられている開口フランジ部２１ｂも、計量部１０ａの底部３０ａよりも、他方の計量部１０ａの底部３０ａを挟んで他方の計量部１０ａと反対方向に突出している。
【００６２】
また、計量カップ５００は、実施の形態１に係る計量カップ１００と異なり、２つの計量部１０の底部３０の外周に底フランジ部３２が無い構造になっている。その代わりに計量カップ５００の各計量部１０の底部３０は、底部３０を挟んで計量部１０と反対方向に突出する足部７０を有する。そして、足部７０の先端は、開口フランジ部２１の端面が形成する仮想面上に位置している。
【００６３】
計量カップ５００の各計量部１０の底部外面３１に開口フランジ部２１の端面と同じ高さの足部７０をもうけることにより、底フランジ部３２が無い構造であっても実施の形態１に係る計量カップ１００と同様に、平面上に計量カップ５００を載置したときに安定して置くことができる。
【００６４】
また、計量カップ５００は、各計量部１０の底フランジ部３２を設けない構造であり、計量部１０ａの筒体４０ａの外周面４１ａが、開口部２０ａから底部３０ａに向かって寸法が小さくなるように傾斜した面となっているため、図２０の下方向に金型が抜ける構造になっている。計量部１０ｂの内周面も底部３０ｂから開口部２０ｂに向かって寸法が大きくなるように傾斜しているため、図２０の下方向に金型が抜ける構造になっている。また、計量部１０ｂの筒体４０ｂの外周面４１ｂも、開口部２０ｂから底部３０ｂに向かって寸法が小さくなるように傾斜した面となっているため、図２０の上方向に金型が抜ける構造になっている。計量部１０ａの内周面も底部３０ａから開口部２０ａに向かって寸法が大きくなるように傾斜しているため、図２０の上方向に金型が抜ける構造になっている。つまり、計量カップ５００は、キャビティとコアとの２つのパーツからなる金型を図２０の上下方向に合わせることにより成形することができる。実施の形態１に係る計量カップ１００と比較して製造コストを下げることができ、成形品の品質も安定させることができる。
【００６５】
また、計量カップ５００は、実施の形態４に係る計量カップ４００と同様に、隣合う計量部１０ａと計量部１０ｂとの境目となる仕切壁部４２に沿った突起４５を、カップ外観面４０上に設けてある。計量カップ５００は、突起４５を備えることにより、使用者が計量カップ５００を掴むときに指が掛かりやすい。計量カップ５００は、カップ外観面４０の仕切壁部４２に沿った部分は、形状が凹む成形不良が起きやすいが、突起４５を設けることにより成形時に生じた凹みを目立たなくすることができる。
【００６６】
図２１は、図１９の計量カップ５００から突起４５を無くした計量カップ５０１の斜視図である。図２２は、図２１の計量カップ５０１のＥ−Ｅ断面図である。
計量カップ５０１のように外周面４１ａ及び外周面４１ｂの境目に突起４５を設けていないと、計量カップ５００を成形するときの金型と同様な構造の金型で成形したときに、外周面４１ａ及び外周面４１ｂに付されている金型を抜くための勾配により境目に段差が生じてしまう。そのため、計量カップ５００のように突起４５を備えた方が、カップ外観部４１の意匠性は向上する。図１９及び図２０においては、外周面４１ａ及び外周面４１ｂに金型を抜くための勾配を付していないため、計量カップ５０１には外周面４１ａと外周面４１ｂとの境目に段差は無い。この場合は、計量カップ５００を成形する金型と同じ構造の金型は使用できない。
【００６７】
実施の形態６．
本発明の実施の形態６に係る計量カップ６００は、実施の形態５に係る計量カップ５０１に対し、計量部１０の開口部２０を矩形にしたものである。実施の形態６に係る計量カップ５００においては、実施の形態５に対する変更点を中心に説明する。実施の形態６に係る計量カップ６００の各部については、各図面において同一の機能を有するものは実施の形態１〜５の説明で使用した図面と同一の符号を付して表示するものとする。
【００６８】
図２３は、実施の形態６に係る計量カップ６００の斜視図である。図２４は、図２３の計量カップ６００のＦ−Ｆ断面図である。
計量カップ６００は、開口部２０ａの開口している方向から見たときに、概略形状が四隅が丸められた四角形になっており、開口部２０ａも四隅が丸められた四角形になっている。ただし、開口部２０ａの周囲に設けられた開口フランジ部２１ａにおいて、開口部２０ａの外縁となる短辺２３ａ及び長辺２４ａは、樹脂成形時の歪みの影響を抑えるために、わずかに外側に凸である曲線で形成されていても良い。
【００６９】
計量カップ６００は、開口部２０が四隅が丸められた四角形になっており、特に開口部２０の短辺２３が直線に近い形状にされていることにより、米びつの底に溜まった米を掬いやすくすることができる。
【００７０】
実施の形態７．
本発明の実施の形態７に係る計量カップ７００は、実施の形態１〜６に係る計量カップ１００、１０１、１０２、２００、３００、３０１、４００、５００、５０１、６００とは異なり、計量部１０ａ、１０ｂを同方向に開口したものである。実施の形態７に係る計量カップ７００においては、実施の形態１に対する変更点を中心に説明する。実施の形態７に係る計量カップ７００の各部については、各図面において同一の機能を有するものは実施の形態１〜６の説明で使用した図面と同一の符号を付して表示するものとする。
【００７１】
図２５は、実施の形態７に係る計量カップ７００の斜視図である。図２６は、図２５の計量カップ７００のＧ−Ｇ断面図である。
計量カップ７００の２つの計量部１０ａ、１０ｂは、開口部２０ａ、２０ｂが同一方向を向き、同一の容積である。言い換えると、計量カップ７００は、有底筒体の底部３０から開口部２０に向けて仕切壁部４２を延ばし、有底筒体の容積を縦に半分に区切ったものである。なお、計量部１０ａと計量部１０ｂとは同容積にしているが、異なる容積であっても良い。実施の形態７においては、計量部１０ａ、１０ｂを例えば０．５合にしてある。
【００７２】
計量カップ７００は、２つの計量部１０ａ、１０ｂを持つため、例えば一方の計量部１０ａを使用者の手などにより塞いで計量した場合には、他方の計量部１０ｂのみの容積で米を計量することができる。また、計量部１０ａ、１０ｂが同じ方向を向いて開口しているため、同時に計量部１０ａ、１０ｂの両方を使用して計量することもできる。よって、例えば、計量部１０ａ、１０ｂをそれぞれ０．５合の容積にすれば、両方の計量部１０ａ、１０ｂを使用して米を計量することにより１合の米を計量することができ、片方の計量部１０ａを使用すれば０．５合の米を計量することができる。
【００７３】
なお、計量部１０ａ及び計量部１０ｂの容積は、０．５合のみに限定されない。例えば、一方の計量部１０ａを１合の容積にし、他方の計量部１０ｂを０．５合の容積にしても良い。この場合、計量部１０ａ及び計量部１０ｂの両方を使用して計量した場合は１．５合の米を計量でき、一方の計量部１０ａのみで計量した場合は１合の米を計量でき、他方の計量部１０ｂのみで計量した場合は０．５合の米を計量できる。このような計量カップであれば、３種の異なる量の米を１つの計量カップで計量することができる。
【００７４】
図２７は、本発明の実施の形態７の変形例である計量カップ７０１の斜視図である。
計量カップ７０１は、計量カップ７００の一方の計量部１０ａを塞ぐ蓋９０を計量カップ７０１と一体にして設けられている。蓋９０は、計量部１０ａの開口部２０ａを塞ぐことのできる大きさに形成されており、蓋９０の一端から帯状の接続部９１が延び、開口部２０ａの縁に接続されている。
【００７５】
計量カップ７０１は、蓋９０が設けられていることにより、一方の計量部１０ａの開口部２０ａを確実に塞ぐことができる。使用者の指等により開口部２０ａを塞いで米を掬い上げる場合は、誤って計量部１０ａに米が入り込んでしまう場合がある。それに較べて、蓋９０により開口部２０ａを塞いで米を掬い上げる場合は、確実に開口部２０ａを塞ぐことができるため、他方の計量部１０ｂのみで米を掬い上げることが可能である。
【００７６】
なお、計量カップ７０１の蓋９０は、計量カップ７０１と別体でも良い。つまり、計量カップ７００の開口部２０ａ、２０ｂに着脱可能な蓋を設ける形態を取っても良い。蓋が別体であっても、計量カップ７０１と同じ効果が得られる。
【００７７】
（実施の形態の効果）
（１）実施の形態１〜７に係る計量カップ１００、１０１、１０２、２００、３００、３０１、４００、５００、６００、７００、７０１によれば、筒体４０ａ、４０ｂの一方の端部を塞ぐ底部３０ａ、３０ｂを有し、他方の端部が開放され開口部２０ａ、２０ｂとした計量部１０ａ、１０ｂを備える。２つの計量部１０ａ、１０ｂは、一体に形成されている。
このように構成されることにより、計量カップ１００、１０１、１０２、２００、３００、３０１、４００、５００、５０１、６００、７００、７０１は、１つの計量カップで異なる米の量を正確にかつ簡単に計量することができる。
【００７８】
（２）実施の形態１〜７に係る計量カップ１００、１０１、１０２、２００、３００、４００、５００、５０１、６００、７００、７０１によれば、２つの計量部１０ａ、１０ｂは、隣接して配置される。
このように構成されることにより、計量カップ１００、１０１、１０２、２００、３００、４００、５００、５０１、６００、７００、７０１は、異なる計量部１０ａ、１０ｂを一体に備え、異なる量の米の正確かつ簡単な計量を実現しつつ、使用者が手に持ちやすく米が掬いやすい計量カップを提供することができる。
【００７９】
（３）実施の形態１〜７に係る計量カップ１００、１０１、１０２、２００、３００、４００、５００、５０１、６００、７００、７０１によれば、２つの計量部１０ａ、１０ｂは、それぞれ容積が異なる。
（４）また、実施の形態１〜６に係る計量カップ１００、１０１、１０２、２００、３００、４００、５００、５０１、６００によれば、２つの計量部１０ａ、１０ｂは、一方が他方の半分の容積を有する。
（５）また、実施の形態１〜６に係る計量カップ１００、１０１、１０２、２００、３００、４００、５００、５０１、６００によれば、一方の計量部１０ａ、１０ｂは、米を０．５合計量できる容積で、他方の計量部１０ａ、１０ｂは、米を１合計量できる容積である。
このように構成されることにより、計量カップ１００、１０１、１０２、２００、３００、４００、５００、５０１、６００は、２つの異なる量の米を１つの計量カップで簡単に計量することができる。特に、使用者の需要がある０．５合単位（例えば、０．５合、１．５合、２．５合・・・）で米の量を調整することが可能となる。
【００８０】
（６）また、実施の形態１〜６に係る計量カップ１００、１０１、１０２、２００、３００、４００、５００、５０１、６００によれば、２つの計量部１０ａ、１０ｂの開口部２０ａ、２０ｂは、互いに逆方向に開口されている。
（７）また、実施の形態１〜６に係る計量カップ１００、１０１、１０２、２００、３００、４００、５００、５０１、６００によれば、２つの計量部１０ａ、１０ｂの開口部２０ａ、２０ｂ及び底部３０ａ、３０ｂは、一方向に並んで配置され、２つの計量部１０ａ、１０ｂの底部３０ａ、３０ｂは、一方の計量部１０ａ、１０ｂの開口部２０ａ、２０ｂと他方の計量部１０ａ、１０ｂの開口部２０ａ、２０ｂとの間に配置される。
このように構成されることにより、計量カップ１００、１０１、１０２、２００、３００、４００、５００、５０１、６００は、一方の計量部１０ａで米を計量した場合に、計量部１０ｂの開口部２０ｂは、計量部１０ａの開口部２０ａと逆方向を向いて設けられているため、意図しない米をすくいあげることがなく、正確に意図した米の量を計量することができる。
【００８１】
（８）実施の形態１〜６に係る計量カップ１００、１０１、１０２、２００、３００、４００、５００、５０１、６００によれば、一方の計量部１０ａ、１０ｂの底部３０ａ、３０ｂと他方の計量部１０ａ、１０ｂの開口部２０ａ、２０ｂとは、平行に並んで配置されている。
（９）また、実施の形態１〜６に係る計量カップ１００、１０１、１０２、２００、３００、４００、５００、５０１、６００によれば、一方の計量部１０ａ、１０ｂの底部３０ａ、３０ｂと他方の計量部１０ａ、１０ｂの開口部２０ａ、２０ｂとは、同一平面上に配置されている。
（１０）また、実施の形態１〜６に係る計量カップ１００、１０１、１０２、２００、３００、４００、５００、５０１、６００によれば、２つの計量部１０ａ、１０ｂの一方の筒体４０ａ、４０ｂが他方の筒体４０ａ、４０ｂの内側に位置する。
このように構成されることにより、計量カップ１００、１０１、１０２、２００、３００、４００、５００、５０１、６００は、一方の計量部１０ａで米を計量する場合に、計量に使用しない側の計量部１０ｂにより計量カップの高さ寸法が大きくなってしまい、米に沈める時に邪魔になるようなことがないため、２つの計量部１０ａ、１０ｂを備えつつ、米が掬いやすい。
【００８２】
（１１）また、実施の形態１〜７に係る計量カップ１００、１０１、１０２、３００、３０１、４００、５００、５０１、６００、７００、７０１によれば、隣接する２つの計量部１０ａ、１０ｂを隔てる仕切壁部４２を有し、仕切壁部４２は、２つの計量部のそれぞれの筒体の一部である。
このように構成されることにより、計量カップ１００、１０１、１０２、３００、３０１、４００、５００、５０１、６００、７００、７０１は、２つの計量部１０ａと計量部１０ｂとを２つに明確に区切ることができる。そして、１つの計量カップで計量部１０ａ又は計量部１０ｂのそれぞれで異なる米の量を正確に計量することが可能となる。
【００８３】
（１２）また、実施の形態４、５に係る計量カップ４００、５００によれば、２つの計量部１０ａ、１０ｂの筒体４０ａ、４０ｂの外周面４１ａ、４１ｂに仕切壁部４２に沿って設けられた突起４５を有する。
このように構成されることにより、計量カップ４００、５００は、使用者がカップ外観面４０を掴んだときに、指が突起４５に掛かり、持ちやすくなる。また、計量カップ４００、５００は、成形の際にカップ外観面４０の仕切壁部４２に沿った部分は、形状が凹む成形不良が起きやすいが、突起４５を設けることにより成形時に生じた凹みを目立たなくすることができる。
【００８４】
（１３）実施の形態７に係る計量カップ７００、７０１によれば、２つの計量部１０ａ、１０ｂは、開口部２０ａ、２０ｂが同一方向を向き、同一の容積である。
（１４）本発明に係る計量カップ７００、７０１によれば、２つの計量部１０ａ、１０ｂは、米を０．５合計量できる容積である。
このように構成されることにより、計量カップ７００、７０１は、２つの計量部１０ａ、１０ｂを持つため、例えば一方の計量部１０ａを使用者の手などにより塞いで計量した場合には、他方の計量部１０ｂのみの容積で米を計量することができる。また、計量部１０ａ、１０ｂが同じ方向を向いて開口しているため、同時に計量部１０ａ、１０ｂの両方を使用して計量することもできる。
【００８５】
（１５）実施の形態７に係る計量カップ７００、７０１によれば、２つの計量部１０ａ、１０ｂのうち一方の計量部１０ａは、開口部を塞ぐ蓋が着脱自在に取り付けられている。
このように構成されることにより、計量カップ７００、７０１は、一方の計量部１０ａの開口部２０ａを確実に塞ぐことができる。使用者の指等により開口部２０ａを塞いで米を掬い上げる場合は、誤って計量部１０ａに米が入り込んでしまう場合がある。それに較べて、蓋９０により開口部２０ａを塞いで米を掬い上げる場合は、確実に開口部２０ａを塞ぐことができるため、他方の計量部１０ｂのみで米を掬い上げることが可能である。また、蓋９０を外すことにより同時に計量部１０ａ、１０ｂの両方を使用して計量することもできる。
【００８６】
（１６）実施の形態７に係る計量カップ７０１によれば、蓋９０は、計量部１０ａ、１０ｂと一体に形成されている。
このように構成されることにより、計量カップ７０１は、上記（１５）に述べた効果だけでなく、蓋９０を紛失することがないという利点がある。
【００８７】
（１７）実施の形態１〜７に係る計量カップ１００、１０１、１０２、２００，３００、３０１、４００、５００、５０１、６００、７００、７０１は、２つの計量部１０ａ、１０ｂの筒体４０ａ、４０ｂの外周面４１ａ、４１ｂは、筒体の外側に膨らんでいる曲面により構成される。
このように構成されることにより、計量カップ１００、１０１、１０２、３００、３０１、４００、５００、５０１、６００、７００、７０１は、樹脂成形後の収縮により筒体４０ａ及び４０ｂが内側に凹むことがなく、計量部１０ａ及び計量部１０ｂの容積を精度良く製造することが可能となる。
（１８）実施の形態１、４に係る計量カップ１００、４００は、計量部１０ａ、１０ｂの底部３０ａ、３０ｂの外側の面である底部外面３１ａ、３１ｂと、計量部１０ａ、１０ｂの筒体４０ａ、４０ｂの外周面４１ａ、４１ｂに底部３０ａ、３０ｂに沿って突出している底フランジ部３２ａ、３２ｂと、を備える。そして、底フランジ部３２ａ、３２ｂの先端部３５ａ、３５ｂは、底部外面３１ａ、３１ｂよりも底部３０ａ、３０ｂを挟んで計量部１０ａ、１０ｂと反対方向に突出している。
このように構成されることにより、計量カップ１００、４００は、平面上に載置したときに底フランジ部３２ａ、３２ｂの先端が平面に接し、成形により精度の良い平面とはならない底部外面３１ａ、３１ｂが平面に接することがないため、安定して置くことができる。
【００８８】
（１９）実施の形態１に係る計量カップ１００によれば、底部外面３１ａ、３１ｂと先端部３５ａ、３５ｂとは、傾斜したスロープ部３４ａにより接続されている。
このように構成されることにより、底フランジ部３２ｂの先端部３５ｂに沿って指等を動かすことにより、底部外面３１ｂ上に載った米粒は、スロープ部３４ｂ上を引っ掛かること無く移動し、落とされる。このようにすることで、余計な分量の米を落とすことができ、計量部１０ａのみで米を正確に計量することができる。
【００８９】
（２０）実施の形態１に係る計量カップ１００によれば、底フランジ部３２ａ、３２ｂは、底フランジ部３２ａ、３２ｂが設けられている計量部１０ａ、１０ｂの開口部２０ａ、２０ｂが配置されている側に位置する底フランジ上面３３ａ、３３ｂを備える。底フランジ上面３３ａ、３３ｂは、底フランジ部３２ａ、３２ｂの外周に向かって開口部２０ａ、２０ｂから底部３０ａ、３０ｂの方向に傾斜している。
（２１）また、実施の形態１に係る計量カップ１００によれば、開口部２０ａ、２０ｂの外周に突出している開口フランジ部２１を備える。
このように構成されることにより、計量カップ１００により米を計量する場合に、底フランジ上面３３ａ、３３ｂに米が滞留することがない。つまり、計量カップ１００は、余計な分量の米をすくいあげることがなく、一方の計量部１０のみで所定の量の米を正確に計量することができる。
【００９０】
（２２）実施の形態１に係る計量カップ５００、５０１によれば、一方の計量部１０の開口部２０に設けられている開口フランジ部２１は、他方の計量部１０の底部３０よりも、他方の計量部１０の底部３０を挟んで他方の計量部１０と反対方向に突出している。そして、他方の計量部１０の底部３０は、当該底部３０を挟んで当該計量部１０と反対方向に突出する足部７０ａ、７０ｂを有する。足部７０ａ、７０ｂの先端は、開口フランジ部２１の端面が形成する仮想面上に位置する。
このように構成されることにより、計量カップ５００、５０１は、開口フランジ部２１の端面と足部７０ａ、７０ｂとにより、平面上に載置した場合も座りが良く、安定して置くことができる。
【００９１】
（２３）実施の形態１に係る計量カップ１００によれば、前記開口フランジ部２１ａ、２１ｂは、当該開口フランジ部２１ａ、２１ｂが設けられている計量部１０ａ、１０ｂの底部３０ａ、３０ｂが配置されている側に位置する開口フランジ下面２２ａ、２２ｂを備える。開口フランジ下面２２ａ、２２ｂは、開口フランジ部２１ａ、２１ｂの外周に向かって底部３０ａ、３０ｂから開口部２０ａ、２０ｂの方向に傾斜している。
このように構成されることにより、計量カップ１００により米を計量する場合に、開口フランジ下面２２ａ、２２ｂに米が滞留することがない。つまり、計量カップ１００は、余計な分量の米をすくいあげることがなく、一方の計量部１０のみで所定の量の米を正確に計量することができる。
【００９２】
実施の形態１、３〜６に係る計量カップ１００、３０１、４００、５００、５０１、６００によれば、２つの計量部１０ａ、１０ｂの開口部２０ａ、２０ｂが開口されている側から見て、２つの計量部１０ａ、１０ｂが並べられた長手方向の幅は、長手方向に対し直交する方向の幅に対し大きい。
このように構成されることにより、計量カップ１００、３０１、４００、５００、５０１、６００は、何れかの開口部２０側から見た時に、計量部１０が２つ並んでいる方向に長い縦長の形状になっている。そのため、使用者は、計量カップ１００を掴むときに、計量カップ１００の短い幅の部分を手で挟んで掴むことにより、自然に米を掬い上げる動作がしやすい持ち方をすることになる。
【００９３】
なお、実施の形態１〜７においては、計量カップ１００、１０１、１０２、２００、３００、３０１、４００、５００、６００、７００、７０１が計量する対象は、米として説明したが、米だけでなく麦等の炊飯する穀類の計量に利用できる。
【符号の説明】
【００９４】
１０  計量部、１０ａ  計量部、１０ｂ  計量部、１１ａ  段差、１１ｂ  段差、２０  開口部、２０ａ  開口部、２０ｂ  開口部、２１  開口フランジ部、２１ａ  開口フランジ部、２１ｂ  開口フランジ部、２２ａ  開口フランジ下面、２２ｂ  開口フランジ下面、２３  短辺、２３ａ  短辺、２４ａ  長辺、３０  底部、３０ａ  底部、３０ｂ  底部、３１  底部外面、３１ａ  底部外面、３１ｂ  底部外面、３２  底フランジ部、３２ａ  底フランジ部、３２ｂ  底フランジ部、３３ａ  底フランジ上面、３３ｂ  底フランジ上面、３４ａ  スロープ部、３４ｂ  スロープ部、３５ａ  先端部、３５ｂ  先端部、４０  カップ外観面、４０ａ  筒体、４０ｂ  筒体、４１  カップ外観部、４１ａ  外周面、４１ｂ  外周面、４２  仕切壁部、４３ａ  面、４３ｂ、４５  突起、５０  ゲート部、６０  表示、６１  表示、６２ａ  表示、６２ｂ  表示、６３  表示、７０  足部、７０ａ  足部、７０ｂ  足部、９０  蓋、９１  接続部、１００  計量カップ、１０１  計量カップ、１０２  計量カップ、２００  計量カップ、２６０  表示、３００  計量カップ、３０１  計量カップ、４００  計量カップ、５００  計量カップ、５０１  計量カップ、６００  計量カップ、７００  計量カップ、７０１  計量カップ、Ｐ  突出量、Ｑ  突出量、Ｒ  突出量、Ｓ  突出量。
【図１】
0006745618.tif 000002
【図２】
0006745618.tif 000003
【図３】
0006745618.tif 000004
【図４】
0006745618.tif 000005
【図５】
0006745618.tif 000006
【図６】
0006745618.tif 000007
【図７】
0006745618.tif 000008
【図８】
0006745618.tif 000009
【図９】
0006745618.tif 000010
【図１０】
0006745618.tif 000011
【図１１】
0006745618.tif 000012
【図１２】
0006745618.tif 000013
【図１３】
0006745618.tif 000014
【図１４】
0006745618.tif 000015
【図１５】
0006745618.tif 000016
【図１６】
0006745618.tif 000017
【図１７】
0006745618.tif 000018
【図１８】
0006745618.tif 000019
【図１９】
0006745618.tif 000020
【図２０】
0006745618.tif 000021
【図２１】
0006745618.tif 000022
【図２２】
0006745618.tif 000023
【図２３】
0006745618.tif 000024
【図２４】
0006745618.tif 000025
【図２５】
0006745618.tif 000026
【図２６】
0006745618.tif 000027
【図２７】
0006745618.tif 000028